(57)【要約】【課題】複数のスピードライト群間における発光条件の組み合わせを変更しつつ複数回撮影する発光ブラケティング撮影を行う際の操作を簡単に済ませることができるスピードライト発光制御装置、カメラ、撮影システム及びプログラムを提供する。【解決手段】ＰＣ１３の本体２０には、発光ブラケティング撮影制御装置２５が設けられている。ユーザは、入力装置２４を操作して、各スピードライト群Ｍ，Ａ，Ｂ，Ｃ毎の発光条件（発光量又は補正量）を設定した後、撮影実行操作を行う。すると、発光条件組合せ選択部３７が、第２メモリ３６に設定されたスピードライト群Ｍ，Ａ〜Ｃ間における発光条件の組合せの中から設定値（Ｍ，Ａ，Ｂ，Ｃ）を、組合せの重複を避けつつ１つずつ選択し、その選択の度に撮影実行命令とその発光条件での発光を命令するコマンドを、通信ケーブル１８を通じて電子カメラ１４に送信する。【選択図】図２
2010134045.tif 000002
【特許請求の範囲】
【請求項１】
カメラが有する撮影手段の撮影動作に協調して、コマンダ手段からの命令に基づき発光する複数のスピードライト群の発光条件を制御するスピードライト発光制御装置であって、
前記複数のスピードライト群毎に発光条件を個別に設定可能であるとともにそのうち少なくとも一群については発光条件の複数設定が可能に構成された設定手段と、
前記複数のスピードライト群の少なくとも一群において発光条件を順次変化させつつ複数回撮影を行う発光ブラケティング撮影の実行の指示を入力手段から受け付ける受付手段と、
前記受付手段が前記指示を受け付けると、前記設定手段により設定された前記複数のスピードライト群間における発光条件の複数の組合せの中から、複数回の撮影を行わせるべく撮影毎に一つの発光条件の組合せを当該組合せの重複を避けながら順次選択する選択手段と、
各撮影毎に前記撮影手段に対して撮影実行命令を行うとともに、前記撮影実行命令に基づく前記撮影手段の撮影動作に協調させて前記選択手段により選択された発光条件の組み合わせで前記各スピードライト群を発光させるための発光指示命令を前記コマンダ手段に対して行う命令指示手段と、
を備えたことを特徴とするスピードライト発光制御装置。
【請求項２】
前記設定手段は、入力手段の操作で指示された発光条件を前記複数のスピードライト群毎に複数設定可能であり、
前記選択手段は、前記設定手段により設定された前記スピードライト群毎の発光条件のすべての組み合わせについて順次選択するように構成されていることを特徴とする請求項１に記載のスピードライト発光制御装置。
【請求項３】
入力手段の操作で指示された発光モードを設定するモード設定手段をさらに備え、
前記カメラと前記スピードライト群のうち少なくとも一方には前記発光モードが自動調光モードである場合に、前記スピードライト群を予備発光させるとともに被写体からの当該予備発光による反射光を測光する測光手段の測光結果に基づいて最適発光条件を求める自動調光手段が備えられており、
前記設定手段は、前記設定された発光モードが前記自動調光モードである場合には、最適発光条件を基準とした相対値として前記発光条件が設定されるように構成されており、
前記命令指示手段は、前記発光指示命令において、前記設定された発光モードと、前記発光条件の組み合わせとを指示することを特徴とする請求項１又は２に記載のスピードライト発光制御装置。
【請求項４】
前記モード設定手段は、前記複数のスピードライト群毎に発光モードを個別に設定可能であり、
発光モードが自動調光モードである場合には、該当する前記スピードライト群を予備発光させて当該予備発光動作時に測光手段による測光結果に基づき該当するスピードライト群の最適発光条件を割り出すように構成されており、
前記設定手段は、当該最適発光条件を基準とした補正量として前記発光条件が設定されるように構成されており、
前記命令指示手段は、前記発光指示命令において、前記発光条件の組合せを、前記最適発光条件を基準とした補正量の組合せとして指示することを特徴とする請求項３に記載のスピードライト発光制御装置。
【請求項５】
前記コマンダ手段は、前記各スピードライト群と双方向通信可能に構成されており、前記発光ブラケティング撮影時における前記スピードライト群の発光結果の情報を、前記スピードライト群から前記コマンダ手段を介して受信する発光結果情報取得手段をさらに備えたことを特徴とする請求項１乃至４のうちいずれか一項に記載のスピードライト発光制御装置。
【請求項６】
前記発光ブラケティング撮影された複数の画像を取得して当該複数の画像について画像解析を行って撮影画像の良否を判定する判定手段と、
前記複数の画像を表示手段に表示させるとともに前記判定手段により撮影結果が否と判定された画像についてはその旨の情報を当該画像と対応付けて前記表示手段に表示させる表示制御手段と、をさらに備えたことを特徴とする請求項１乃至５のうちいずれか一項に記載のスピードライト発光制御装置。
【請求項７】
前記表示手段により表示された複数の画像のうち入力手段の操作により選択された一つの画像と同一の発光条件の組み合わせを選択する再選択手段をさらに備え、
前記命令指示手段は、前記再選択手段により選択された前記発光条件の組み合わせで再撮影を行わせるための撮影実行命令及び発光指示命令を行うことを特徴とする請求項６に記載のスピードライト発光制御装置。
【請求項８】
前記撮影手段と、請求項１乃至７のうちいずれか一項に記載の前記スピードライト発光制御装置とを備えたことを特徴とするカメラ。
【請求項９】
請求項１乃至７のうちいずれか一項に記載の前記スピードライト発光制御装置と、前記カメラとを備えた撮影システムであって、
前記スピードライト発光制御装置は、前記カメラと通信可能な電子機器に備えられ、
前記電子機器側の前記命令指示手段は、前記撮影実行命令と前記発光指示命令とを前記カメラに通信で送ることを特徴とする撮影システム。
【請求項１０】
カメラと、複数のスピードライト群とを備えた撮影システムにおいてコンピュータに発光ブラケティング撮影を行わせるための発光ブラケティング撮影制御用のプログラムであって、
コンピュータが、発光ブラケティング撮影の設定を行う旨の要求を受け付けると、メモリに記憶された設定画面用データに基づいて、複数のスピードライト群に発光条件を個別に設定可能であるとともに少なくとも一群については発光条件の複数設定が可能な設定画面を表示手段に表示させる設定画面表示ステップと、
コンピュータが、入力手段からの操作指示に基づいて前記設定画面において前記複数のスピードライト群に発光条件を個別に設定する設定ステップと、
前記スピードライト群毎に発光条件が設定された状態下で、前記入力手段の操作による発光ブラケティング撮影の実行の指示を受け付けると、前記設定ステップで設定された前記複数のスピードライト群間における発光条件の複数の組合せの中から、発光条件の一つの組合せを、当該組合せの重複を避けながら複数回の撮影を行わせるべく順次選択する選択ステップと、
前記発光条件の一つの組合せが選択される度に、前記カメラの撮影手段に撮影実行命令を行うとともに、前記撮影実行命令に基づく撮影動作と協調して前記選択された発光条件の組み合わせで前記複数のスピードライト群を発光させるための発光指示命令をコマンダ手段に対して行う命令指示ステップと、
を備えたことを特徴とするスピードライト発光制御用のプログラム。
【発明の詳細な説明】
【技術分野】
【０００１】
本発明は、複数のスピードライト群（閃光装置群）を備えたカメラシステムにおいて、発光ブラケティング撮影を行うスピードライト発光制御装置、カメラ、撮影システム及びスピードライト発光制御用のプログラムに関する。
【背景技術】
【０００２】
従来、例えば電子スチルカメラにはスピードライト（ストロボ）が設けられ、暗所での撮影や夜間撮影の際には、スピードライトを発光させるようになっている（例えば特許文献１〜４等）。例えば良好な撮影画像が得られる最適な発光条件を探すために、カメラがスピードライトの発光量を変化させつつ複数回の撮影を行う発光ブラケティング撮影機能を備えたものが知られている。（例えば特許文献３、４等）。そして、ユーザは、発光ブラケティング撮影結果として得られる発光条件の異なる複数枚の撮影画像を比較し、最適な発光条件を決めるようになっている。
【０００３】
ところで、スタジオ等の撮影では、電子カメラに付いたスピードライト（内蔵フラッシュを含む）の他に、被写体に撮影方向（カメラ側からの閃光照射方向）以外の方向から、閃光を直接又は間接的に当てて、撮影が行われる場合がある。この場合、電子カメラに付いたスピードライト以外に増灯用のスピードライト群を、例えば被写体の回り複数箇所に配置して、電子カメラによる被写体撮影時に複数のスピードライト群が協調発光するようになっている。この場合、カメラに外付けあるいは内蔵されたコマンダが、増灯用スピードライト群に発光量を例えば光通信で指示する構成となっている。
【特許文献１】特開２００２−１６９２０５号公報
【特許文献２】特開平１１−２１２１４７号公報
【特許文献３】特開平９−２７４２１２号公報
【特許文献４】特開平８−２９８２８号公報
【発明の開示】
【発明が解決しようとする課題】
【０００４】
従来の発光ブラケティング撮影機能付きの電子カメラでは、電子カメラに付いたスピードライト（主灯）に限り、その発光量を変化させつつ複数回撮影できるものであった。しかし、増灯用スピードライト群を備えた複数個のスピードライトを協調発光させる構成においては、カメラに取り付けたコマンダから発光量（発光条件）を通信で指示し、指示された発光量で協調発光させることはできた。しかし、増灯用スピードライト群を複数配置して、複数のスピードライト群間において発光条件の最適な組合せを探す場合、ユーザが各スピードライト群の発光量（発光条件）の組み合わせを変更する操作を撮影毎に行いながら、複数回の撮影を行う必要があった。特に複数のスピードライト群間における発光条件の組合せ数は、スピードライト群の数が増えるほど乗算的に増えるので、例えば発光量（発光条件）の組合せの条件を振って、複数回撮影する場合、撮影１回毎に行う発光条件変更のための操作が面倒であると共に、発光条件を決めるための撮影に比較的長時間を要することになっていた。
【０００５】
本発明は前記の問題点に鑑みてなされたものであって、その目的は、複数のスピードライト群間における発光条件の組み合わせを変更しつつ複数回撮影する発光ブラケティング撮影を行う際の操作を簡単に済ませることができるスピードライト発光制御装置、カメラ、撮影システム及びスピードライト発光制御用のプログラムを提供することにある。
【課題を解決するための手段】
【０００６】
上記問題点を解決するために、本発明は、カメラが有する撮影手段の撮影動作に協調して、コマンダ手段からの命令に基づき発光する複数のスピードライト群の発光条件を制御するスピードライト発光制御装置であって、前記複数のスピードライト群毎に発光条件を個別に設定可能であるとともにそのうち少なくとも一群については発光条件の複数設定が可能に構成された設定手段と、前記複数のスピードライト群の少なくとも一群において発光条件を順次変化させつつ複数回撮影を行う発光ブラケティング撮影の実行の指示を入力手段から受け付ける受付手段と、前記受付手段が前記指示を受け付けると、前記設定手段により設定された前記複数のスピードライト群間における発光条件の複数の組合せの中から、複数回の撮影を行わせるべく撮影毎に一つの発光条件の組合せを当該組合せの重複を避けながら順次選択する選択手段と、各撮影毎に前記撮影手段に対して撮影実行命令を行うとともに、前記撮影実行命令に基づく前記撮影手段の撮影動作に協調させて前記選択手段により選択された発光条件の組み合わせで前記各スピードライト群を発光させる発光指示命令を前記コマンダ手段に対して行う命令指示手段と、を備えたことを要旨とする。
【０００７】
この発明によれば、設定手段により設定された複数のスピードライト群の発光条件に基づき、選択手段は、複数のスピードライト群間における発光条件の複数の組合せの中から、複数回の撮影を行わせるべく当該組合せの重複を避けながら撮影毎に一つの発光条件の組合せを順次選択する。命令指示手段は、各撮影毎に撮影手段に対して撮影実行命令を行うとともに、撮影実行命令に基づく撮影手段の撮影動作に協調させて、選択手段により選択された発光条件の組み合わせで各スピードライト群を発光させる発光指示命令をコマンダ手段に対して行う。このため、入力手段から発光ブラケティング撮影の実行を指示すれば、カメラと複数のスピードライト群による発光ブラケティング撮影を、設定手段に設定された発光条件の複数の組合せで自動的に行うことができる。よって、複数のスピードライト群の発光条件の組み合わせを変えながら複数回撮影する発光ブラケティング撮影を行う際の操作を簡単に済ませることができる。
【０００８】
また、本発明のスピードライト発光制御装置では、前記設定手段は、入力手段の操作で指示された発光条件を前記複数のスピードライト群毎に複数設定可能であり、前記選択手段は、前記設定手段により設定された前記スピードライト群毎の発光条件のすべての組み合わせについて順次選択するように構成されていることを特徴とする。この発明によれば、入力手段を操作して複数のスピードライト群毎に発光条件を設定することができ、その設定した複数のスピードライト群毎の発光条件のすべての組合せについて、発光ブラケティング撮影を行うことができる。
【０００９】
また、本発明のスピードライト発光制御装置では、入力手段の操作で指示された発光モードを設定するモード設定手段をさらに備え、前記カメラと前記スピードライト群のうち少なくとも一方には前記発光モードが自動調光モードである場合に、前記スピードライト群を予備発光させるとともに被写体からの当該予備発光による反射光を測光する測光手段の測光結果に基づいて最適発光条件を求める自動調光手段が備えられており、前記設定手段は、前記設定された発光モードが前記自動調光モードである場合には、最適発光条件を基準とした相対値として前記発光条件が設定されるように構成されており、前記命令指示手段は、前記発光指示命令において、前記設定された発光モードと、前記発光条件の組み合わせとを指示することを特徴とする。この発明によれば、発光モードが自動調光モードであるときにも、予備発光の測光結果に基づき自動調光手段が求めた最適発光条件を基準とする発光条件の相対値を変更しつつ、発光ブラケティング撮影を行うことができる。
【００１０】
さらに、本発明のスピードライト発光制御装置では、前記モード設定手段は、前記複数のスピードライト群毎に発光モードを個別に設定可能であり、発光モードが自動調光モードである場合には、該当する前記スピードライト群を予備発光させて当該予備発光動作時に測光手段による測光結果に基づき該当するスピードライト群の最適発光条件を割り出すように構成されており、前記設定手段は、当該最適発光条件を基準とした補正量として前記発光条件が設定されるように構成されており、前記命令指示手段は、前記発光指示命令において、前記発光条件の組合せを、前記最適発光条件を基準とした補正量の組合せとして指示することを特徴とする。この発明によれば、発光モードが自動調光モードであるときにも、自動調光による最適発光条件を基準とする発光条件の補正量を変更しつつ、発光ブラケティング撮影を行うことができる。
【００１１】
本発明のスピードライト発光制御装置において、前記コマンダ手段は、前記各スピードライト群と双方向通信可能に構成されており、前記発光ブラケティング撮影時における前記スピードライト群の発光結果の情報を、前記スピードライト群から前記コマンダ手段を介して受信する発光結果情報取得手段をさらに備えたことを特徴とする。この発明によれば、発光ブラケティング撮影時におけるスピードライト群の発光結果の情報を、スピードライト群からコマンダ手段を介して発光結果情報取得手段が取得できるので、撮影時における各スピードライト群の発光が適切に行われたか否かを確認できる。
【００１２】
本発明のスピードライト発光制御装置では、前記発光ブラケティング撮影された複数の画像を取得して当該複数の画像について画像解析を行って撮影画像の良否を判定する判定手段と、前記複数の画像を表示手段に表示させるとともに前記判定手段により撮影結果が否と判定された画像についてはその旨の情報を当該画像と対応付けて前記表示手段に表示させる表示制御手段と、をさらに備えたことを特徴とする。この発明によれば、発光ブラケティング撮影結果の画像について画像の良否を判定し、否と判定された画像については、その旨の情報が画像と対応付けて表示されるので、否の画像を容易に知ることができる。
【００１３】
本発明のスピードライト発光制御装置では、前記表示手段により表示された複数の画像のうち入力手段の操作により選択された一つの画像と同一の発光条件の組み合わせを選択する再選択手段をさらに備え、前記命令指示手段は、前記再選択手段により選択された前記発光条件の組み合わせで再撮影を行わせるための撮影実行命令及び発光指示命令を行うことを特徴とする。この発明によれば、複数の画像のうち入力手段で一つの画像を選択すれば、その選択した画像と同一の発光条件の組合せが選択されるので、同一の発光条件の組合せによる再撮影を容易に行うことができる。
【００１４】
本発明は、カメラであって、前記撮影手段と、上記発明のスピードライト発光制御装置とを備えたことを要旨とする。このカメラによれば、上記スピードライト発光制御装置の発明と同様の作用効果を得ることができる。
【００１５】
本発明は、上記発明のスピードライト発光制御装置と、前記カメラとを備えた撮影システムであって、前記スピードライト発光制御装置は、前記カメラと通信可能な電子機器に備えられ、前記電子機器側の前記命令指示手段は、前記撮影実行命令と前記発光指示命令とを前記カメラに通信で送ることを要旨とする。この撮影システムによれば、上記発明のスピードライト発光制御装置と同様の作用効果を得ることができる。
【００１６】
本発明は、カメラと、複数のスピードライト群とを備えた撮影システムにおいてコンピュータに発光ブラケティング撮影を行わせるための発光ブラケティング撮影制御用のプログラムであって、コンピュータが、発光ブラケティング撮影の設定を行う旨の要求を受け付けると、メモリに記憶された設定画面用データに基づいて、複数のスピードライト群に発光条件を個別に設定可能であるとともに少なくとも一群については発光条件の複数設定が可能な設定画面を表示手段に表示させる設定画面表示ステップと、コンピュータが、入力手段からの操作指示に基づいて前記設定画面において前記複数のスピードライト群に発光条件を個別に設定する設定ステップと、前記スピードライト群毎に発光条件が設定された状態下で、前記入力手段の操作による発光ブラケティング撮影の実行の指示を受け付けると、前記設定ステップで設定された前記複数のスピードライト群間における発光条件の複数の組合せの中から、発光条件の一つの組合せを、当該組合せの重複を避けながら複数回の撮影を行わせるべく順次選択する選択ステップと、前記発光条件の一つの組合せが選択される度に、前記カメラの撮影手段に撮影実行命令を行うとともに、前記撮影実行命令に基づく撮影動作と協調して前記選択された発光条件の組み合わせで前記複数のスピードライト群を発光させるための発光指示命令をコマンダ手段に対して行う命令指示ステップと、を備えたことを特徴とするスピードライト発光制御用のプログラム。この発明によれば、コンピュータがスピードライト発光制御用のプログラムを実行することにより、上記発明のスピードライト発光制御装置と同様の作用効果を得ることができる。
【発明を実施するための最良の形態】
【００１７】
（第一実施形態）
以下、本発明を具体化した第一実施形態を、図１〜図１４に基づいて説明する。
図１は、撮影システムを示す。図１に示す撮影システム１１は、電子カメラシステム１２と、パーソナルコンピュータ（以下、「ＰＣ１３」という）とを備えている。電子カメラシステム１２は、カメラとしての電子スチルカメラ（以下、「電子カメラ１４」という）と、電子カメラ１４の閃光装置（以下、「主灯Ｍ」という）と協調発光する増灯用のスピードライト群Ａ，Ｂ，Ｃとを備えている。各スピードライト群Ａ，Ｂ，Ｃは、１個又は複数個のスピードライト１５から構成され、被写体Ｐを照明可能な複数箇所にそれぞれ配置されている。同一のスピードライト群に属する複数のスピードライト１５には同一の発光条件が設定される。なお、図１は、Ａ〜Ｃ群がそれぞれ１個のスピードライト１５からなる例を示す。
【００１８】
また、図１の例では、電子カメラ１４の本体１４ａにシューを介して装着されたスピードライト１５により、主灯Ｍが構成されている。この主灯Ｍ用のスピードライト１５を１つのスピードライト群Ｍとみなすと、各スピードライト群Ｍ，Ａ，Ｂ，Ｃ毎に異なる発光条件の設定が可能となっている。なお、各スピードライト１５の発光部１６は、その本体１５ａに対して角度変更可能に設けられている。
【００１９】
電子カメラ１４とＰＣ１３とは通信ケーブル１８を通じて双方向通信可能に接続されている。通信ケーブル１８としては例えばＵＳＢ（Universal Serial Bus）ケーブルが用いられる。もちろん、ＩＥＥＥ１３９４ケーブル等の他の通信ケーブルを用いてもよく、さらにはＰＣ１３と電子カメラ１４間で無線通信を行う構成でもよい。
【００２０】
ＰＣ１３は、本体２０と、モニタ２１と、キーボード２２及びマウス２３等よりなる入力装置２４（入力手段）とを備えている。本体２０には、発光ブラケティング撮影制御装置２５が設けられている。詳しくは、本体２０のハードディスクには、発光ブラケティング撮影制御用のアプリケーション（アプリケーションプログラム）がインストールされており、このアプリケーションプログラムを実行する本体２０内のＣＰＵにより発光ブラケティング撮影制御装置２５が構成されている。なお、本実施形態では、発光ブラケティング撮影制御装置２５が、スピードライト発光制御装置に相当する。
【００２１】
ここで、発光ブラケティング撮影制御装置２５は、ユーザが、入力装置２４を用いてＰＣ１３に対して１回の撮影実行操作を行うことで、各スピードライト群Ｍ，Ａ，Ｂ，Ｃの発光条件の組合せを変更しつつ電子カメラ１４に複数回の撮影を行わせる発光ブラケティング撮影を行わせるための装置である。
【００２２】
ユーザは、発光ブラケティング撮影制御装置２５を起動させて、入力装置２４を用いて必要な入力設定操作を行う。すると、発光ブラケティング撮影制御装置２５は、入力に応じて、各種設定画面の表示処理、スピードライト群毎の発光条件の個別設定処理、電子カメラ１４に対する発光ブラケティング撮影実行命令、発光ブラケティング撮影結果として得られる複数の画像をモニタ２１に表示させる表示処理等を行う。ここで、発光ブラケティング撮影実行命令の電子カメラ１４への送信処理、及び発光ブラケティング撮影結果として得られる複数の画像ファイルの受信処理は、通信ケーブル１８を通じて行われる。
【００２３】
電子カメラ１４は、ＰＣ１３から受信した発光ブラケティング撮影用のコマンドに基づいて、スピードライト群Ｍ，Ａ〜Ｃに対して各々の発光条件に応じた発光命令を指示するコマンダ２８（コマンダ手段）を備えている。コマンダ２８は、主灯Ｍの発光部１６を点滅させて行う光通信で、増灯用のスピードライト群Ａ〜Ｃに対してコマンドに応じた発光条件を個別に指示する。そして、電子カメラ１４は、撮影レンズ部１９を通った被写体Ｐの光束に基づく画像の撮影を、撮影実行命令に基づき実行するとともに、撮影実行時に協調発光すべくコマンダ２８が各スピードライト群Ｍ，Ａ〜Ｃに対して発光実行命令を指示する。なお、本実施形態では、コマンダ２８は電子カメラ１４に内蔵されている。もちろん、コマンダ２８は内蔵タイプに限定されず、電子カメラ１４のシュー等に装着される外付けタイプのものであってもよい。
【００２４】
図２は、ＰＣ１３に備えられた発光ブラケティング撮影制御装置２５の電気的構成を詳細に示す撮影システムのブロック図である。図２に示す発光ブラケティング撮影制御装置２５は、この装置全体を司る制御部３１、入力装置２４からの入力信号又は入力データを受け付ける受付部３２（受付手段）、演算部３３、設定部３４（設定手段及びモード設定手段）、第１メモリ３５、第２メモリ３６、発光条件組合せ選択部３７（選択手段）、命令指示部３８（命令指示手段）、画像解析部３９、判定部４０及び再撮影指示部４１を備えている。また、ＰＣ１３の本体２０内には、表示駆動回路４３及び通信部４４が設けられている。なお、本実施形態では、画像解析部３９及び判定部４０により判定手段が構成される。
【００２５】
発光ブラケティング撮影制御装置２５では、モニタ２１に各種設定画面や発光ブラケティング撮影結果を表示する処理は、制御部３１が表示駆動回路４３を駆動制御することにより行われる。また、命令指示部３８は、発光条件組合せ選択部３７の指示又は再撮影指示部４１の指示に基づきコマンドを生成するコマンド生成部４６と、その生成されたコマンドの電子カメラ１４への送信を通信部４４に指示するコマンド送信部４７とを備えている。また、通信部４４は、電子カメラ１４へコマンド等のデータを送信する送信部４８と、電子カメラ１４から発光ブラケティング撮影結果の画像データ（画像ファイル）等のデータを受信する受信部４９とを備えている。なお、通信部４４は、例えばＵＳＢホストにより構成される。
【００２６】
また、図２に示す第１メモリ３５には、設定画面データＤ１、スケールデータＤ２及び報知用データＤ３が記憶されている。設定画面データＤ１は、図３、図４、図５、図７に示す設定画面５１，５３等を表示するための複数の画面表示用データよりなり、スケールデータＤ２は、図４の設定画面中に表示すべき設定スケール５６Ｍ，５６Ａ〜５６Ｃ（図４、図５、図７）の画像を生成するための複数のパーツデータ等よりなる。制御部３１は、設定画面データＤ１に基づき第１設定画面用の画像データを生成し、その画像データに基づきモニタ２１に第１設定画面５１を表示する。また、制御部３１は、スケールデータＤ２を用いて設定内容に応じた設定スケール５６Ｍ，５６Ａ〜５６Ｃの画像データを生成し、この設定スケール用の画像データと、設定画面データＤ１に基づく第２設定画面用の画像データとを合成して第２設定画面の画像データを生成して、モニタ２１に第２設定画面５３を表示する。また、報知用データＤ３は、発光ブラケティング撮影結果の画像を表示する図１３に示す発光ブラケティング撮影結果表示画面（以下、単に「撮影結果表示画面１１０」という）に、画像良否判定結果で不良画像と判定された画像に対応付けてその画像不良内容を文字列で表示するためのテキストデータからなる。
【００２７】
次に、発光ブラケティング撮影制御装置２５が行う各種処理について説明する。まず、設定画面表示処理、発光条件設定処理、設定された発光条件の複数の組合せの中から発光ブラケティング撮影時における撮影回数毎の発光条件の組合せを選択する発光条件組合せ選択処理、及び選択した発光条件の組合せで撮影の実行を指示するコマンドを生成するコマンド生成処理について、図２〜図９を用いて説明する。
【００２８】
ユーザは、発光ブラケティング撮影を行う際は、ＰＣ１３を操作して発光ブラケティング撮影制御装置２５を起動する。すると、制御部３１が設定画面データＤ１に基づいて図３に示す第１設定画面５１をモニタ２１に表示する。
【００２９】
図３に示す第１設定画面５１には、発光ブラケティング撮影時の発光モードを設定するために、「マニュアル」、「ＴＴＬ（Through The Lens）」、「ＡＡ（絞り連動外部自動調光）」の３種類の発光モードに応じた設定ボタン５１ａ〜５１ｃが用意されている。ここで、「マニュアルモード」とは、発光量を数値で直接設定するモードである。「ＴＴＬモード」とは、モニタ発光（予備発光）を行って被写体からの反射光をカメラ内部の測光手段としての測光センサ８５（図１０に示す）で測光して、その測光結果（被写体反射率情報）に基づいて電子カメラ１４が被写体Ｐに最適な露光を与えるための最適発光量を求め、その最適発光量を基準「０」とする相対値（段数）として予め設定された補正量に応じてスピードライト１５の発光量を制御する調光方式である。
【００３０】
また、「ＡＡモード」とは、モニタ発光（予備発光）を行って被写体からの反射光をスピードライト１５側に設けられている外部測光センサ１０５（外部自動調光センサ）（図１０に示す）で測光して、その測光結果（被写体反射率情報）と、電子カメラ１４から伝達されるＩＳＯ感度、絞り値、焦点距離、露出補正値などの情報とに基づいて、スピードライト１５が自身の発光量を制御する調光方式である。
【００３１】
また、第１設定画面５１には、各スピードライト群Ｍ，Ａ〜Ｃの発光条件を設定操作するために第２設定画面５３中に表示される設定スケール５６Ｍ，５６Ａ〜５６Ｃのスケールと目盛とを指定するためのスケール設定部５２が表示されるようになっている。例えば発光モードが「マニュアルモード」のときは、スケール設定部５２には、０〜１（フル）の範囲で目盛を設定するための分割数を入力する設定欄５２ａが設けられている。また、発光モードが「ＴＴＬモード」と「ＡＡモード」のときは、補正単位（補正量１目盛）の段数を入力するための補正単位設定欄５２ｂと、スケールに付される目盛の数を入力するための設定欄５２ｃとが表示されるようになっている。
【００３２】
また、第１設定画面５１には、設定内容を確定するためのＯＫボタン５１ｄが設けられ、設定値入力後にＯＫボタン５１ｄを操作すると、その設定内容が反映されて、図４に示す第２設定画面５３（ＰＣアプリ設定画面）が表示される。第２設定画面５３には、ブラケティング撮影ボタン５４ａと通常撮影ボタン５４ｂとが設けられている。入力装置２４（マウス２３）の操作により通常撮影ボタン５４ｂが選択操作されると、発光ブラケティング撮影制御装置２５は、通常撮影の実行を命令するコマンド（通常撮影実行コマンド）を生成して電子カメラ１４に送信し、そのコマンドを受け付けた電子カメラ１４が１コマの通常撮影を実行する。そして、第２設定画面５３には、電子カメラ１４から発光ブラケティング撮影制御装置２５に送信された撮影結果の画像ファイルに基づく通常撮影画像を表示するための画像表示枠５５が表示されるようになっている。
【００３３】
また、第２設定画面５３の右寄り部位には、発光ブラケティング撮影時に適用される各スピードライト群Ｍ，Ａ〜Ｃ毎の発光条件の振れ幅を、個別に設定操作するためのＭ用、Ａ用、Ｂ用、Ｃ用の各設定スケール５６Ｍ，５６Ａ〜５６Ｃが、例えば縦列配置で表示されるようになっている。
【００３４】
図５は、設定スケールの拡大図を示す。なお、図５は、発光モードが「マニュアル」の例である。図３におけるマニュアルモードのときの設定内容に応じて、第２設定画面５３には図５に示すように、０〜１（フル）の範囲が３分割されて、発光量の目盛として、「０」，「1/16」，「1/4」，「１」の４種類が設定されたスケール６０が表示される。設定スケール５６Ｍ〜５６Ｃには、そのスケール６０上に発光条件の振れ幅の下限と上限とを指定するために操作される一対の設定操作部６１，６２が、マウス２３の操作に連動してスケール６０上を移動可能に設けられている。発光条件の設定操作は、マウス２３を用いて設定操作部６１，６２を移動させて発光条件の振れ幅の下限と上限とを設定することで、その振れ幅の範囲内の目盛で示される発光条件が選択設定されるようになっている。図５の例では、スケール６０上の４つの目盛で示される４つの発光条件のうち、少なくとも１つの発光条件（このマニュアルモードの例では「発光量」）の設定が可能となっている。
【００３５】
図５の例では、Ｍ設定（主灯Ｍの設定）において、０〜１までの全範囲が選択され、発光量「０」，「1/16」，「1/4」，「１」の４種類すべてが設定されている。また、Ａ設定（スピードライト群Ａの設定）では、「1/16」，「1/4」の２種類が設定され、さらにＢ設定（スピードライト群Ｂの設定）では、「1/16」，「1/4」，「１」の３種類が設定されている。そして、Ｃ設定（スピードライト群Ｃの設定）では、「０」，「1/16」，「1/4」の３種類が設定されている。
【００３６】
図６は、設定された発光量でブラケティング撮影を行うときに発光量の組合せを選択する実行結果を示す。図５に示す設定内容で設定した後、マウス２３によりブラケティング撮影ボタン５４ａを選択操作すると、発光ブラケティング撮影制御装置２５の発光条件組合せ選択部３７が起動される。そして、図６に示すように、Ｍ設定の４種類「０」，「1/16」，「1/4」，「１」、Ａ設定の２種類「1/1 6」，「1/4」、Ｂ設定の３種類「1/16」，「1/4」，「１」、Ｃ設定の３種類「０」，「1/16」，「1/4」のすべての組合せの中から、設定値（Ｍ，Ａ，Ｂ，Ｃ）を、組合せの重複を避けつつ１コマずつ順次変更して、計７２コマ（＝４×２×３×３）の撮影を順次命令して、発光ブラケティング撮影の実施を電子カメラ１４に指示する。
【００３７】
図７は、発光モードとして、「ＴＴＬモード」と「ＡＡモード」のどちらか一方を選択したときの自動調光用の設定スケールを示す。図７の例では、図３の第１設定画面５１の設定内容（補正単位「1/3」、数「５」）に応じた設定スケール５６Ｍ，５６Ａ〜５６Ｃが生成され、１／３段ずつ補正量を設定可能なスケール６３となっている。マウス２３の操作により設定操作部６１，６２を移動して補正量の振れ幅を指定することは、図５のマニュアルの例と同様である。
【００３８】
図７の例では、スケール６３には、基準０に対して±１／３，±２／３の段数の目盛りが設定されている。Ｍ設定（主灯Ｍの設定）において、基準０に対する補正量「-2/3」，「-1/3」，「０」，「+1/3」の４種類が設定されている。また、Ａ設定（スピードライト群Ａの設定）では、「-1/3」，「０」，「+1/3」の３種類が設定され、さらにＢ設定（スピードライト群Ｂの設定）では、「０」，「+1/3」の２種類が設定されている。そして、Ｃ設定（スピードライト群Ｃの設定）では、「-2/3」，「-1/3」，「０」の３種類が設定されている。
【００３９】
図８は、発光ブラケティング撮影を行うときに基準０に対する補正量の組合せで示される設定値（Ｍ，Ａ，Ｂ，Ｃ）を、組合せが重複しないように１コマずつ順番に選択する実行結果を示す。図７に示す設定内容で、マウス２３の操作によりブラケティング撮影ボタン５４ａを選択操作すると、発光ブラケティング撮影制御装置２５の発光条件組合せ選択部３７が起動され、図８に示すように、Ｍ設定の４種類「-2/3」，「-1/3」，「０」，「+1/3」、Ａ設定の３種類「-1/3」，「０」，「+1/3」、Ｂ設定の２種類「０」，「+1/3」、Ｃ設定の３種類「-2/3」，「-1/3」，「０」のすべての組合せで示される設定値（Ｍ，Ａ，Ｂ，Ｃ）を、１コマずつ組合せの重複を避けつつ順次選択して、計７２コマ（＝４×２×３×３）の撮影を順次命令する発光ブラケティング撮影指示を行う。
【００４０】
図９は、コマンド生成部４６が生成する発光ブラケティング撮影指示用のコマンドを示す。ここで、図９（ａ）は、発光モードとして「マニュアルモード」が設定されているときのコマンドデータＣＤｍ、図９（ｂ）は「ＴＴＬモード」が設定されているときのコマンドデータＣＤttl、図９（ｃ）は、「ＡＡモード」が設定されているときのコマンドデータＣＤaaをそれぞれ示す。
【００４１】
図９に示すように、コマンドデータＣＤm，ＣＤttl，ＣＤaaは、その先頭から順に、撮影実行命令を指示する撮影コマンド６５、発光実行命令を指示する発光コマンド６６、発光モードを指示する発光モード指示部６７、今回のコマの撮影で選択された設定値（Ｍ，Ａ，Ｂ，Ｃ）などが配置されることで構成されている。各コマンドデータＣＤm，ＣＤttl，ＣＤaaで、撮影コマンド６５及び発光コマンド６６は設定内容によらず共通であり、これに後続する発光モード指示部６７の設定内容（マニュアル、ＴＴＬ、ＡＡ）に応じて決まり、さらに発光条件の設定値（Ｍ，Ａ，Ｂ，Ｃ）は毎回変更される。
【００４２】
図９（ａ）に示すマニュアルモードのコマンドデータＣＤmでは、発光モード指示部６７に発光モード「マニュアルモード（Ｍモード）」が指示され、その発光条件として設定値（Ｍ，Ａ，Ｂ，Ｃ）＝（０，1/16，1/16，０）が指示されている。また、図９（ｂ）に示すＴＴＬモードのコマンドデータＣＤttlでは、発光モード指示部６７に発光モード「ＴＴＬモード」が指示され、その発光条件として設定値（Ｍ，Ａ，Ｂ，Ｃ）＝（-2/3，-1/3，０，-2/3）が指示されている。さらに、図９（ｃ）に示すＡＡモードのコマンドデータＣＤaaでは、発光モード指示部６７に発光モード「ＡＡモード」が指示され、その発光条件として設定値（Ｍ，Ａ，Ｂ，Ｃ）＝（-2/3，-1/3，０，-2/3）が指示されている。発光モードが「ＴＴＬモード」と「ＡＡモード」の場合、今回のコマの撮影で選択された設定値（Ｍ，Ａ，Ｂ，Ｃ）は、ＴＴＬモードあるいはＡＡモードによる自動調光で決定された最適発光量を基準「０」とする補正量の段数で示されている。なお、コマンドデータＣＤm，ＣＤttl，ＣＤaaを特に区別しない場合は、単に「コマンドＣＤ」と呼ぶ場合もある。
【００４３】
次に、電子カメラ１４の構成及びスピードライト群Ａ〜Ｃの電気的構成を、図１０に基づいて説明する。図１０は、電子カメラシステム１２の電気的構成を示すブロック図である。図１０に示すように、本例の電子カメラ１４は、通信部７１、コマンダ２８、撮影部７２、電子カメラ１４を統括制御するＣＰＵ７３、撮影部７２で撮影された画像データを画像処理する画像処理部７４、画像処理後の画像データ等を記憶するメモリカード７５、表示部７６などを備えている。
【００４４】
ＰＣ１３の発光ブラケティング撮影制御装置２５から送られたコマンドＣＤは、この通信部７１が受信する。本例の通信部７１は、例えばＵＳＢデバイスにより構成される。通信部７１で受信された発光ブラケティング撮影を指示するコマンドＣＤは、コマンダ２８及びＣＰＵ７３に送られる。
【００４５】
撮影部７２は、撮影レンズ部１９（可変レンズ）を有する可変光学系７８、絞り部７９、ミラー８０、シャッタ部８１及び撮像素子８２を備えている。ミラー８０で反射された被写体光はペンタプリズム８３を通ってファインダレンズ８４に入射される。ペンタプリズム８３の近傍には、主灯Ｍをモニタ発光（予備発光）したときにペンタプリズム８３からファインダレンズ８４へ向かって出射される被写体の反射光を測光する測光センサ８５が設けられている。ＴＴＬ測光回路８６（自動調光手段）は、測光センサ８５からの測光値に基づいて、設定露光値に合うように最適発光量を演算する。こうして発光モード「ＴＴＬモード」のときの最適発光量（ＴＴＬ最適発光量）が求められる。このＴＴＬ最適発光量が、ＴＴＬモードにおいて、発光補正量を相対値で示す際の基準値「０」となる。
【００４６】
また、電子カメラ１４の前面には、合焦動作時に赤外線・超音波等を被写体に向けて照射する照射部８７と、赤目防止設定時に撮影開始時期より少し早いタイミングで補助発光する補助発光部８８が設けられている。
【００４７】
また、電子カメラ１４には撮像動作を開始させるときに撮像者により押し下げ操作（すなわち、オン操作）されるレリーズボタン８９が設けられ、レリーズボタン８９が半押しされると、合焦動作を行う。レリーズボタン８９が全押しされたことを検出すると、ＣＰＵ７３の指示により撮影が開始され、例えばシャッタ部８１が所定のシャッタスピードで開閉される。但し、発光ブラケティング撮影時は、ＰＣ１３からのコマンドＣＤに基づいて電子カメラ１４は撮影動作を行う。
【００４８】
電子カメラ１４の背面部（後面部）に設けられた表示部７６は、例えば液晶表示装置（Liquid Crystal Display）により構成される。表示部７６には、各種メニュー画面や設定画面の他、可変光学系７８を通して撮像素子８２に結像された被写体Ｐの画像等が表示される。
【００４９】
主灯Ｍを有するスピードライト１５には、主灯Ｍの発光制御を行う発光制御部９１、「ＡＡモード」において最適発光量（ＡＡ最適発光量）を求めるために、主灯Ｍのモニタ発光（予備発光）時の発光量を測定するための外部測光センサ９２（測光手段）と、外部測光センサ９２の測光値に基づいて被写体Ｐに最適な露光を与えるための最適発光量（ＡＡ最適発光量）を求める外部測光回路９３とを備えている。このＡＡ最適発光量が、ＡＡモードにおいて、発光補正量を相対値で示す際の基準値「０」となる。なお、外部測光センサ９２及び外部測光回路９３により、カメラ側の自動調光手段が構成される。
【００５０】
コマンダ２８は、受け付けたコマンドＣＤに基づいて発光制御部９１を介して主灯Ｍを発光制御して、主灯Ｍを点滅させることにより行われる光通信で、スピードライト群Ａ〜Ｃ毎に、モニタ発光及び本発光の各発光タイミング、発光量及び発光モードなどコマンドの情報を指示する。
【００５１】
発光制御部９１は、発光部１６をモニタ発光させた後、外部測光回路９３の演算結果として得られた最適発光量を基準「０」とする補正量で示される発光量で、ＡＡモードにおけるブラケティング撮影の本発光を行わせる。
【００５２】
また、電子カメラ１４は受光部９４を備え、スピードライト１５側の発光部１６が点滅制御されて発せられた光信号を受信（受光）する。例えばスピードライト群Ａ〜Ｃのスピードライト１５は、ブラケティング撮影時において１回の撮影が終わる度に発光部１６の発光結果（発光の有無）を、光信号で電子カメラ１４側の受光部９４へ送信する。
【００５３】
ＣＰＵ７３は、測光センサ８５からの光電変換信号に応じて所定の露出演算を行い、露出演算結果に基づいてシャッタ部８１及び絞り部７９を制御する。ＣＰＵ７３は、レンズ駆動部を駆動制御して撮影レンズ部１９（可動レンズ）を移動させることで、可動レンズのズーム倍率（焦点距離）の変更、及び合焦動作を行う。また、ＣＰＵ７３は、画像データより検出された被写体の輝度を用いて所定の露出演算を行って絞り値及び露光時間を決定し、決定した絞り値となるように絞り部７９を駆動してその開口径を調整すると共に、決定した露光時間となるようにシャッタ部８１を駆動制御する。
【００５４】
また、ＣＰＵ７３は、測光センサ８５で取得された環境光の色情報に基づいて必要な照明光の色温度を決定し、決定した色温度の照明光を主灯Ｍが発するようにコマンダ２８を介して発光制御部９１へ発光色制御信号を送信する。
【００５５】
そして、電子カメラ１４は、被写体Ｐからの光束が可変光学系７８を通過した被写体光を撮影レンズ部１９の像空間側に結像させるための前述の撮像素子８２を有している。この撮像素子８２は、例えばＣＭＯＳ（Complementary Metal Oxide Semiconductor）イメージセンサ、又はＣＣＤ（Charge Coupled Device）イメージセンサからなり、その撮像面に結像した被写体像に対応した信号電荷を蓄積し、その蓄積した信号電荷を画素信号と呼ばれるアナログ信号として出力する。
【００５６】
撮像素子８２の画素信号は画像処理部７４に出力される。画像処理部７４は、ＡＦＥ（Analog Front End）部とＡ／Ｄ変換器と、デジタルシグナルプロセッサ(以下、「ＤＳＰ」という)などを含む。ＡＦＥ部は、ＣＰＵ７３により制御され、撮像素子８２で光電変換された画像信号を所定のタイミングでサンプリング（相関二重サンプリング）して、例えばＩＳＯ感度に基づく所定の信号レベルとなるように増幅する。Ａ／Ｄ変換器は、ＡＦＥ部から出力された増幅後の画像信号（アナログ信号）をデジタル信号に変換し、デジタル変換後の画像データをＤＳＰへ出力する。ＤＳＰは、Ａ／Ｄ変換器から出力されたデジタル画像信号に対して輪郭補償やガンマ変換やホワイトバランス処理等の画像処理を施すことにより所定の画像信号を生成する。そして、画像処理部７４で生成された画像信号は図示しないバッファメモリ（例えばフラッシュメモリ）に一時記憶される。その後、ＤＳＰは、バッファメモリから画像データを読出して、その画像データに対して例えばＪＰＥＧ方式のデータ圧縮処理を施し、圧縮処理後の画像データをメモリカード７５に記憶する。また、ＤＳＰは、メモリカード７５から画像データを読出して伸張処理を施した後の画像データに基づき、表示駆動回路（図示省略）を介して表示部７６に撮影画像を表示させる。
【００５７】
次にスピードライト群Ａ〜Ｃを構成するスピードライト１５の電気的構成を説明する。本実施形態では、各スピードライト群Ａ〜Ｃにおいて、スピードライト１５の構成は基本的に同じであるので、図１０ではスピードライト群Ａを構成するスピードライト１５のみその電気的構成を詳細に示している。図１０に示すように、スピードライト１５は、ＣＰＵ１００、設定部１０１、発光制御部１０２、発光部１６、受光部１０４、測光手段としての外部測光センサ１０５及び外部測光回路１０６を備えている。なお、外部測光センサ１０５及び外部測光回路１０６により、スピードライト群側の自動調光手段が構成される。
【００５８】
設定部１０１は、電子カメラ１４側のコマンダ２８と光通信を行うための通信チャネルを設定するものである。コマンダ２８は設定部２８ａを備え、設定部２８ａには、各スピードライト群との光通信を行う際に使用される通信チャネルが設定される。設定部２８ａには、どのスピードライト群に属するかが分かるようにスピードライト群名（グループ名）「Ａ」「Ｂ」「Ｃ」と、各グループに割り当てる通信チャネルとが設定される。本例のコマンダ２８では、通信チャネルは例えば３チャネル設定可能であり、スピードライト群毎に１つの通信チャネルが割り当てられる。よって、同一のスピードライト群に属する各スピードライト１５には同じ通信チャネルが割り当てられるため、指示される発光条件も同じとなる。
【００５９】
受光部１０４は、電子カメラ１４側の主灯Ｍから光通信で送られてくるコマンドを受信してＣＰＵ１００へ出力する。ＣＰＵ１００は受光部１０４から受け付けたコマンドを解釈して、指示された発光モード及び発光量で発光制御部１０２を介して発光部１６を発光制御する。指示された発光モードが「ＴＴＬモード」であれば、発光部１６をモニタ発光させるとともにモニタ発光時の被写体の反射光を測光した電子カメラ１４内の測光センサ８５の測光値に基づいてＴＴＬ測光回路８６が最適発光量（ＴＴＬ最適発光量）を求める。また、指示された発光モードが「ＡＡモード」であれば、電子カメラ１４でのＡＡモード時と同様に、発光部１６をモニタ発光させるとともにモニタ発光時のスピードライト１５側の外部測光センサ１０５の測光値に基づいて外部測光回路１０６が最適発光量（ＡＡ最適発光量）を求める。
【００６０】
次に、発光ブラケティング撮影制御処理について図１１に示すフローチャートに従って説明する。発光ブラケティング撮影制御装置２５は、図１１にフローチャートで示す処理を行う。ユーザは、ＰＣ１３において発光ブラケティング撮影用のアプリケーションを立ち上げることにより、発光ブラケティング撮影制御装置２５を起動させる。発光ブラケティング撮影制御装置２５を起動させると、モニタ２１に発光ブラケティング撮影用の初期画面が表示されるので、発光ブラケティング撮影を行いたいユーザは、まずその初期画面からマウス２３等の入力装置２４を操作して図３に示す第１設定画面５１を表示させる。
【００６１】
まずステップＳ１０では、発光モード設定を行う。すなわち、モニタ２１に表示された図３に示す第１設定画面５１において、発光ブラケティング撮影に適用する発光モードを設定する。すなわち、ユーザは、第１設定画面５１において発光モードの３つの候補「マニュアルモード」「ＴＴＬモード」「ＡＡモード」の各ボタン５１ａ〜５１ｃのうちから希望する発光モードに応じた１つをマウス２３を操作して選択する。設定部３４は、マウス２３により選択されたボタンに応じた発光モードを、第２メモリ３６の所定記憶領域に書き込む。
【００６２】
次のステップＳ２０では、発光モードに応じたスケール設定を行う。すなわち、ユーザは、図３の第１設定画面５１において発光モードに対応するスケール設定部５２の設定欄に希望する設定値を入力する。例えば図３に示すように、マニュアルモードの場合は、０〜１までの分割数を設定欄５２ａに入力する。また、ＴＴＬモード及びＡＡモードの場合は、補正単位及び数を各設定欄５２ｂ、５２ｃに入力する。そして、スケール設定用の設定値の入力を終えると、ＯＫボタン５１ｄをマウス２３により選択操作する。すると、設定欄５２ａ〜５２ｃに入力された設定データが設定部３４により設定される。
【００６３】
ステップＳ３０では、スケールの生成及び表示を行う。すなわち、制御部３１は、第１メモリ３５からスケールデータＤ２を読み出して、設定値に応じた目盛が設定されたスケール画像を生成し、そのスケール画像と設定画面の画像とを合成して第２設定画面５３を表示する。その結果、第２設定画面５３には、図５（マニュアルモード時）に示す発光量設定用の設定スケール５６Ｍ，５６Ａ〜５６Ｃ、又は図７（ＴＴＬ又はＡＡモード時）に示す補正量設定用の設定スケール５６Ｍ，５６Ａ〜５６Ｃが表示される。
【００６４】
そして、ユーザはマウス２３を操作して、主灯Ｍ、スピードライト群Ａ，Ｂ，Ｃ毎に発光条件（発光量又は補正量）を設定する。ユーザはマウス２３を操作して一対の設定操作部６１，６２を移動させて下限と上限を指定することで、スケール６０上において発光量又は補正量の振り幅を設定する。その結果、スピードライト群Ｍ，Ａ，Ｂ，Ｃ毎に、少なくとも１つの発光量又は補正量がそれぞれ設定される。このとき、ステップＳ４０において、制御部３１は、一対の設定操作部６１，６２を移動させるために操作されるマウス２３のモニタ上の座標位置に応じて設定操作部６１，６２を移動させる表示制御を行い、一対の設定操作部６１，６２で下限と上限が指定された振り幅内の目盛の位置座標から、設定された発光量又は補正量の把握が可能となっている。
【００６５】
ユーザは、スピードライト群Ｍ，Ａ〜Ｃ毎の発光条件の振り幅を設定すると、マウス２３を用いてブラケティング撮影ボタン５４ａを操作し、発光ブラケティング撮影の実行を指示する。このとき、ステップＳ５０において、発光ブラケティング撮影の実行指示（撮影ボタン５４ａの選択操作）があったか否かを判断する。制御部３１は、ユーザのマウス２３によるブラケティング撮影ボタン５４ａのクリック操作がなされたことを示す操作信号（座標信号）を入力すると、発光ブラケティング撮影の実行を開始し、まずステップＳ６０の処理を行う。
【００６６】
ステップＳ６０では、発光条件（発光量又は補正量）の複数の組合せの中から１つの組合せを選択する設定値（Ｍn，Ａn，Ｂn，Ｃn）の選択処理を行う。ここで、「Ｍn」における添字「ｎ」は、群毎に設定された振り幅内の少なくとも１つの発光条件をナンバリングしたもので、ｎ＝ｉ〜ｊの値をとる。ここで、Ｍｉは下限側の設定操作部６１で指定された発光条件の下限値（最小値）を指し、Ｍｊは上限側の設定操作部６２で指定された発光量の上限値（最大値）を指す。例えば、設定された発光条件が１つの場合は１つの発光条件Ｍｉ（＝Ｍｊ）が設定される。また、設定された発光条件が複数の場合は、発光条件Ｍｉ，Ｍi+1，…，Ｍｊの計（ｊ−ｉ＋１）個の発光条件が設定される。図５の例では、Ｍ設定が（Ｍｉ，Ｍi+1，Ｍi+2，Ｍｊ）＝（０，1/16，1/4，１）、Ａ設定が（Ａｉ，Ａｊ）＝（1/16，1/4）、Ｂ設定が（Ｂｉ，Ｂi+1，Ｂｊ）＝（1/16，1/4，１）、Ｃ設定が（Ｃｉ，Ｃi+1，Ｃｊ）＝（０，1/16，1/4）に設定されている。そして、これらのすべての組合せを１つずつ順番に設定値（Ｍn，Ａn，Ｂn，Ｃn）として選択する。この発光条件の設定値（Ｍn，Ａn，Ｂn，Ｃn）を、重複を避けつつ選択するステップＳ６０の処理は、発光条件組合せ選択部３７により行われる。
【００６７】
ステップＳ７０では、発光モードと設定値（Ｍn，Ａn，Ｂn，Ｃn）を指示する１コマ分の撮影実行コマンドを生成し、電子カメラ１４へ送信する。すなわち、発光モードが「マニュアルモード」であれば、図９（ａ）に示すマニュアルモード用のコマンドデータＣＤmを生成して、電子カメラ１４へ送信する。また、発光モードが「ＴＴＬモード」であれば、図９（ｂ）に示すＴＴＬモード用のコマンドデータＣＤttlを生成し、一方、発光モードが「ＡＡモード」であれば、図９（ｃ）に示すＡＡモード用のコマンドデータＣＤaaを生成して、電子カメラ１４へ送信する。
【００６８】
そして、ステップＳ８０では、発光ブラケティング撮影が終了であるか否かを判断する。発光条件のすべての組合せを選択して全撮影の指示を終了していなければ、次の組合せを選択するためのナンバリングの更新を行った（ステップＳ９０）後、ステップＳ６０に戻る。以後、同様に、発光条件のすべての組合せを選択し且つその条件による撮影を終えるまで、発光条件の設定値（Ｍn，Ａn，Ｂn，Ｃn）を、重複を避けつつ順番に選択し（Ｓ６０，Ｓ９０）、発光モードと設定値（Ｍn，Ａn，Ｂn，Ｃn）を指示する撮影実行コマンド（コマンドデータＣＤ）を生成して、電子カメラ１４に順次送信する（Ｓ７０）。こうして、発光条件の設定値（Ｍn，Ａn，Ｂn，Ｃn）の重複を避けつつ振り幅内のすべての組合せで設定値（Ｍn，Ａn，Ｂn，Ｃn）を指示する撮影実行コマンドが１コマ撮影分ずつ順番に、ＰＣ１３（発光ブラケティング撮影制御装置２５）から電子カメラ１４に自動的に送信される。その結果、電子カメラ１４では、発光条件の設定値（Ｍn，Ａn，Ｂn，Ｃn）を毎回変更しつつ複数回順次自動的に撮影する発光ブラケティング撮影が行われる。
【００６９】
ここで、発光条件の設定値（Ｍn，Ａn，Ｂn，Ｃn）の選択処理（Ｓ６０）、撮影実行コマンド（コマンドデータＣＤ）の生成・送信処理（Ｓ７０）などを含むブラケティング撮影の実行を指示する処理は、詳しくは図１２に示す発光ブラケティング撮影指示ルーチンにより行われる。
【００７０】
すなわち、図１２に示すように、Ｃn，Ｂn，Ａn，Ｍnの下限値であるＣｉ，Ｂｉ，Ａｉ，Ｍｉをまず初期値として設定する（ステップＳ１１０〜Ｓ１４０）。
次に、発光条件の設定値（Ｍn，Ａn，Ｂn，Ｃn）を決定する（ステップＳ１５０）。１コマ目は、設定値（Ｍn，Ａn，Ｂn，Ｃn）＝（Ｍｉ，Ａｉ，Ｂｉ，Ｃｉ）が設定される。すなわち、マニュアルモードが設定された図５の例では、図６の１コマ目に示すように、各群Ｍ，Ａ〜Ｃの振り幅の下限値がそれぞれ選択され、設定値（０，1/16，1/16，０）が指示される。
【００７１】
そして、撮影実行コマンドを生成し（ステップＳ１６０）、その生成した撮影実行コマンドを電子カメラ１４へ送信する（ステップＳ１７０）。こうして１コマ目の撮影実行コマンドが送信されると、Ｍnが振り幅の上限値Ｍｊではないので（ステップＳ１８０でＭn＝Ｍｊが不成立なので）、ステップＳ１９０でＭnをＭn+1に更新し（Ｍn＝Ｍn+1）（図５の例ではＭｉ+1＝1/16に変更し）、ステップＳ１５０に戻る。その結果、次のステップＳ１５０では、２コマ目は、設定値（Ｍn，Ａn，Ｂn，Ｃn）＝（Ｍi+1，Ａｉ，Ｂｉ，Ｃｉ）が設定される。すなわち、図５のマニュアルモードの例では、図６の２コマ目に示すように設定値（1/16，1/16，1/16，０）が指示される。そして、Ｍnが下限値Ｍｉから上限値Ｍｊまで１巡し、ステップＳ１８０でＭn＝Ｍｊが成立すると、ステップＳ２００でＡn＝Ａｊではないので、ステップＳ２１０でＡnをＡn+1に更新し（Ａn＝Ａn+1）（図５の例ではＡｉ+1＝1/4に変更し）、さらにＭnを上限値Ｍｊから下限値Ｍｉに戻した（Ｓ１４０におけるＭn＝Ｍｉ）後、ステップＳ１５０に戻る。
【００７２】
その結果、次のステップＳ１５０では、５コマ目が、設定値（Ｍn，Ａn，Ｂn，Ｃn）＝（Ｍｉ，Ａi+1，Ｂｉ，Ｃｉ）に設定される。すなわち、図５のマニュアルモードの例では、図６の５コマ目に示すように設定値（０，1/4，1/16，０）が指示される。そして、Ａnが下限値Ａｉから上限値Ａｊまで１巡し、ステップＳ２００でＡn＝Ａｊが成立すると、ステップＳ２２０でＢn＝Ｂｊではないので、ステップＳ２３０でＢnをＢn+1に更新し（Ｂn＝Ｂn+1）（図５の例ではＢｉ+1＝1/4に変更し）、さらにＡn，Ｍnを下限値Ａｉ，Ｍｉに戻した（Ａn＝Ａｉ，Ｍn＝Ｍｉ）（Ｓ１３０，Ｓ１４０）後、ステップＳ１５０に戻る。その結果、次のステップＳ１５０では、９コマ目が、設定値（Ｍn，Ａn，Ｂn，Ｃn）＝（Ｍｉ，Ａｉ，Ｂi+1，Ｃｉ）に設定される。
【００７３】
そして、Ｂnが下限値Ｂｉから上限値Ｂｊまで１巡し、ステップＳ２２０でＢn＝Ｂｊが成立すると、ステップＳ２４０でＣn＝Ｃｊではないので、ステップＳ２５０でＣnをＣn+1に更新し（Ｃn＝Ｃn+1）（図５の例ではＣｉ+1＝1/16に変更し）、さらにＢn，Ａn，Ｍnを下限値Ｂｉ，Ａｉ，Ｍｉに戻した（Ｂn＝Ｂｉ，Ａn＝Ａｉ，Ｍn＝Ｍｉ）（Ｓ１２０，Ｓ１３０，Ｓ１４０）後、ステップＳ１５０に戻る。その結果、次のステップＳ１５０では、２５コマ目が、設定値（Ｍn，Ａn，Ｂn，Ｃn）＝（Ｍｉ，Ａｉ，Ｂｉ，Ｃi+1）に設定される。こうして、以後、同様に、２６コマ目、２７コマ目、…、と順に設定値（Ｍn，Ａn，Ｂn，Ｃn）が決定される。そして、７２コマ目になると、設定値（Ｍn，Ａn，Ｂn，Ｃn）＝（Ｍｊ，Ａｊ，Ｂｊ，Ｃｊ）（図６の例では（１，1/4，１，1/4））が決定される。こうして、最後（図６の例では７２コマ目）の撮影実行コマンドが送信されると、ステップＳ２４０でＣn＝Ｃｊが成立し、当該ルーチンを終了する。
【００７４】
このように発光ブラケティング撮影制御装置２５から順次送信された撮影実行コマンドは、通信ケーブル１８を通じて電子カメラ１４が受信する。図１０に示すように、撮影実行コマンド（コマンドデータＣＤ）は、電子カメラ１４内の通信部７１で受信されてコマンダ２８及びＣＰＵ７３に送られる。コマンダ２８は撮影実行コマンドを解釈して発光モードがマニュアルモードであった場合には、各スピードライト群Ａ〜Ｃのスピードライト１５にそれぞれ指定された発光量を指示する。
【００７５】
一方、ＣＰＵ７３は、撮影実行コマンドを解釈して、発光モードが自動調光モードであった場合には、コマンダ２８を介して主灯Ｍ及び増灯の発光部１６をモニタ発光させる。例えばＴＴＬモードの場合は、モニタ発光させたときの被写体Ｐからの反射光を測光した測光センサ８５の測光値に基づきＴＴＬ測光回路８６が最適発光量を算出する。最適発光量が決まると、これを基準（補正量「０」）として、基準（補正量「０」）に対してそれぞれ補正量分の補正を施したスピードライト群Ｍ，Ａ〜Ｃ毎の発光量を求め、求めた発光量を各スピードライト群Ｍ，Ａ〜Ｃに光通信で指示する。また、例えばＡＡモードの場合は、モニタ発光させたときの被写体Ｐからの反射光を測光した外部測光センサ１０５の測光値に基づき外部測光回路１０６が最適発光量を算出する。最適発光量が決まると、これを基準（補正量「０」）として、各スピードライト群Ａ，Ｂ，Ｃに基準（補正量「０」）に対してそれぞれ指定された補正量分の補正を施したスピードライト群Ｍ，Ａ〜Ｃ毎の発光量を求め、求めた発光量を各スピードライト群Ｍ，Ａ〜Ｃに光通信で指示する。
【００７６】
その結果、電子カメラ１４の撮影動作に連動して各スピードライト群Ｍ，Ａ，Ｂ，Ｃの発光が協調して行われる。なお、電子カメラ１４のＣＰＵ７３は、そのとき設定されている撮影モードに応じた撮影条件（自動合焦点（オートフォーカス）、露光時間、シャッタスピード等）に従って電子カメラ１４の撮影動作を制御する。
【００７７】
こうして電子カメラ１４の撮影動作によって生成された画像データ（画像ファイル）が、通信ケーブル１８を通じてＰＣ１３内の発光ブラケティング撮影制御装置２５へ送信される。そして、ＰＣ１３の受信部４９で受信された画像データに対して画像解析部３９が画像解析を施す。そして、判定部４０が、画像解析結果に基づき画像の良否を判定する。例えば、判定部４０は、「まばたき」や「赤目」などの画像中の不適切部位の有無を判定する。
【００７８】
制御部３１は、受信部４９を介して取得した画像ファイルと、判定部４０から取得した判定結果を用いて、図１３に示すように発光ブラケティング撮影結果の画像が一覧表示された撮影結果表示画面１１０をモニタ２１に表示する。この撮影結果表示画面１１０には、不適切部位を含む不良画像と対応する位置に、不適切部位を報知する文字列（テキスト）が表示される。例えば、図１３に示すように、被写体の人物がまばたきしている画像には、「まばたき」の文字列がその画像と対応する位置に表示され、また、被写体の人物が赤目となった画像には、「赤目」の文字列がその画像と対応する位置に表示される。
【００７９】
また、各スピードライト１５のＣＰＵ１００は、発光部１６の発光結果（発光の有無）の情報を外部測光センサ１０５の測光結果から取得する。電子カメラ１４のコマンダ２８は、撮影１回毎に各スピードライト群Ａ〜Ｃを構成するスピードライト１５における発光部１６から光通信で送られてくるその発光結果の情報を受光部９４にて受信する。そして、電子カメラ１４は、発光ブラケティング撮影結果の画像と共に各スピードライト１５の発光結果の情報をＰＣ１３の発光ブラケティング撮影制御装置２５に送信する。制御部３１は、発光結果の情報に基づいて発光ミスの有無を判定し、発光ミスがあった場合は、図１３では省略しているが、撮影結果表示画面１１０において画像と対応する位置にその旨を表示するようになっている。よって、ユーザは、撮影結果表示画面１１０を通じてスピードライト群Ｍ，Ａ〜Ｃの発光ミスの有無を確認することができる。本実施形態では、制御部３１が、発光結果情報取得手段に相当する。
【００８０】
なお、電子カメラ１４のＣＰＵ７３（発光結果情報取得手段）がコマンダ２８を介して受信した発光結果の情報に基づき発光ミスの有無を確認し、ＣＰＵ７３は発光ミスがあった場合にはその発光条件の組合せで再撮影を指示する構成も採用できる。また、発光ブラケティング撮影制御装置２５の制御部３１（発光結果情報取得手段）が発光結果の情報に基づき発光ミスの有無を確認し、発光ミスがあった場合にはその発光条件の組合せで再撮影を指示するコマンドデータを電子カメラ１４に送信する構成も採用できる。
【００８１】
さらに、図１３に示すように、撮影結果表示画面１１０の右上箇所には、画像を表示する順番を指定するプルダウンメニュー１１１が設けられている。図１３は、プルダウンメニュー１１１で「Ｍ設定」が選択指定された例である。この場合、図１３に示すように、スピードライト群Ａ，Ｂ，Ｃの発光量（又は補正量）が、ある組合せの値（例えば図１３の画面上段では「Ａ：1/16，Ｂ：1/16，Ｃ：1/16」）に固定され、主灯Ｍの発光量（又は補正量）を変化させた複数枚の画像（図１３の画面上段では「Ｍ：０，1/16，1/4，１」の４枚の画像）が、例えば横一列に表示される。プルダウンメニュー１１１で、表示順を切り換えることで、スピードライト群Ｍ，Ａ〜Ｃのうち選択したスピードライト群の発光条件を変化させた撮影結果を一方向（例えば横方向）に見比べることができる。
【００８２】
ユーザは、この撮影結果表示画面１１０に表示された画像を見比べることで、最適な発光条件の組合せを選択することができる。図１３に示すように、ユーザが最適な発光条件の組合せであると判断したファイル名「DSC_0011．JPG」の画像をマウス２３で選択すると、モニタ２１には、図１４に示す再撮影画面１１５が表示される。この再撮影画面１１５には、その選択した画像のプレビュー部１１６と、再撮影用の撮影ボタン１１７が設けられている。最適な発光条件の組合せで撮影された画像でよければ確認だけで済ませ、一方、この画像と同じ発光条件の組合せで再撮影したい場合は、さらにプレビュー部１１６で画像を確認した後、マウス２３で撮影ボタン１１７を選択操作する。すると、再撮影指示部４１は、その画像の発光モード及び発光条件の設定値（Ｍn，Ａn，Ｂn，Ｃn）を、第２メモリ３６から読み込んで、その読み込んだ発光モード及び設定値をコマンド生成部４６に送り、同一条件での撮影を命令するコマンドの生成を指示する。コマンド生成部４６は、指示された内容での撮影及び発光を命令するコマンドを生成し、そのコマンドをコマンド送信部４７が通信部４４を介して電子カメラ１４へ送信する。こうして、電子カメラ１４では、同一の発光条件で再撮影が行われ、再撮影結果の画像ファイルがＰＣ１３の発光ブラケティング撮影制御装置２５に送られ、その再撮影結果の画像がモニタ２１に表示される。
【００８３】
以上詳述したように本実施形態によれば、以下の効果が得られる。
（１）複数のスピードライト群Ｍ，Ａ〜Ｃの発光条件を個別に設定するので、増灯用のスピードライト群Ａ〜Ｃを追加して撮影システム１１を構成した場合でも、スピードライト群Ｍ，Ａ〜Ｃ間における発光条件の組合せを変更しつつ複数回撮影する発光ブラケティング撮影を行うことができる。従って、従来のように、スピードライト群の発光条件の異なる画像を、発光条件の設定を撮影１回毎にユーザが設定操作を行う面倒な操作を省き、１回の撮影実行操作で、発光ブラケティング撮影を行うことができる。
【００８４】
（２）スピードライト群Ｍ，Ａ〜Ｃ毎に発光条件の振り幅を個別に設定できるので、発光条件の無駄な組合せによる撮影をなるべく省き、適切な発光条件に絞ってブラケティング撮影を行うことができる。特に第２設定画面５３に、発光条件設定用の設定スケール５６Ｍ，５６Ａ〜５６Ｃを表示させてそのスケール６０上で設定操作部６１，６２を操作して下限と上限とを指定することで発光条件の振り幅を設定し、その振り幅内の目盛と対応する発光条件が選択されるようにした。このため、スピードライト群毎の発光条件の設定が、入力装置２４を用いて設定操作部６１，６２を移動させて下限と上限とを指定するだけの比較的簡単な操作で済む。
【００８５】
（３）発光ブラケティング撮影で採用する発光モードを設定できるので、発光モードに応じた適切な発光ブラケティング撮影を行うことができる。
（４）発光モードとして「マニュアルモード」を選択できるので、スピードライト群Ｍ，Ａ〜Ｃ毎に発光量を設定することにより、適切な発光ブラケティング撮影を行わせることができる。
【００８６】
（５）発光モードとして自動調光モードを選択できるので、スピードライト群Ｍ，Ａ〜Ｃ毎に最適発光量に対する補正量の振り幅を設定することにより、自動調光モードによる適切な発光ブラケティング撮影を行うことができる。
【００８７】
（６）発光モード（自動調光モード）として「ＴＴＬモード」を選択できるので、ＴＴＬモードでの適切な発光ブラケティング撮影を行わせることができる。
（７）発光モード（自動調光モード）として「ＡＡモード」を選択できるので、ＡＡモードでの適切な発光ブラケティング撮影を行わせることができる。
【００８８】
（８）スピードライト群Ｍ，Ａ〜Ｃ毎に個別に設定した発光条件の振り幅に基づくすべての組合せについて発光条件を変更しつつ複数回撮影する発光ブラケティング撮影を行うので、発光条件のすべての組合せから適切な発光条件を決定できる。よって、より適切な発光条件を決定し易くなる。
【００８９】
（９）ＰＣ１３に発光ブラケティング撮影用のプログラムをインストールすることで、発光ブラケティング撮影制御装置２５をＰＣ１３側に構築したので、ＰＣ１３のキーボード２２やマウス２３等を用いて、発光条件の振り幅の設定及び発光ブラケティング撮影の実行命令の操作を行うことができる。例えば一対の設定操作部６１，６２を画面上で移動させて発光条件の下限と上限を指定して行う振り幅の設定操作がし易い。
【００９０】
（１０）ＰＣ１３のモニタ２１に設定画面や撮影結果表示画面１１０を表示する構成なので、設定画面が大きく設定操作がし易いうえ、撮影結果の画像を比較的大きなサイズで複数枚並べて見比べられるので、適切な発光条件の組合せを選択することができる。
【００９１】
（１１）発光ブラケティング撮影結果の画像データを解析する画像解析部３９と、その画像解析結果に基づいて画像の良否を判定する判定部４０とを設け、撮影結果表示画面１１０に、撮影画像の一覧と共に画像の不適切部位の内容を表示した。よって、発光条件の最適な組合せだけでなく、判定結果から画像の良否も確認できる。特に本例では、「まばたき」及び「赤目」の有無を判定できるので、発光条件の最適な撮影画像が、「まばたき」や「赤目」の画像であった場合には、再撮影が必要であることをユーザが見逃すことがなくなる。
【００９２】
（１２）画像の良否の判定結果で「まばたき」や「赤目」等の不適切部位のあった画像については、その画像と対応する位置（図１３の例では画像の下側）にその旨が表示されるので、どの画像がどのような理由で不良であるかをユーザは画像と対応付けて容易に把握できるので、画像が不良であることの見落しを回避できる。
【００９３】
（１３）各スピードライト群Ａ〜Ｃから発光結果の情報を取得してＰＣ１３のモニタ２１にその発光結果の情報を表示するとともに発光ミスなどの異常発生時には画像と対応する位置にその旨を表示する。よって、発光ミス発生の画像は再撮影できるので、発光ミスが原因で最適な発光条件の組合せが選択されなかったり、発光ミスが原因で最適な発光条件の組合せとして選択されたりする不都合を回避できる。
【００９４】
（１４）撮影結果表示画面１１０に画像を表示する順番を設定するプルダウンメニュー１１１を用意したので、表示順を切り換えることで、スピードライト群Ｍ，Ａ〜Ｃのうち選択したスピードライト群の発光条件の組合せを変化させた撮影結果を見比べることができる。よって、一層適切な発光条件の組合せを選択することができる。
【００９５】
（１５）撮影結果表示画面１１０で画像を選択すれば、再撮影画面１１５が表示されるとともに、その選択した画像の撮影時に設定されていた設定内容（発光モード及び発光条件の組合せ）と同一の設定内容が設定され、マウス２３で撮影ボタン１１７を選択操作することで、その選択画像と同一の発光モード及び発光条件の組合せで再撮影することができる。よって、再撮影時に、最適な発光条件の組合せをいちいち設定する面倒な操作を省略できる。そのため、シャッタチャンスを逃すことがない。
【００９６】
（第二実施形態）
次に第二実施形態を図１５〜図１７に基づいて説明する。図１５は、第１設定画面を示し、図１６は第２設定画面における発光条件設定部を示す。本実施形態では、図１５に示すように、第１設定画面１２０には、スピードライト群Ｍ，Ａ〜Ｃ毎に個別に発光モードを設定できるプルダウンメニュー１２１Ｍ，１２１Ａ〜１２１Ｃと、スケール設定部５２とがそれぞれ設けられている。スピードライト群毎のスケール設定部５２は、選択した発光モードに応じて切り換え表示され、図３と同様に、マニュアルモード設定時には、０〜１の範囲における分割数を設定可能な設定欄５２ａが表示され、一方、自動調光モードに属するＴＴＬモード又はＡＡモードの設定時には、補正単位の段数と目盛の数とを設定可能な各設定欄５２ｂ，５２ｃが表示される。
【００９７】
そして、図１５の第１設定画面１２０で、スピードライト群毎の発光モード及びスケール条件の設定後に、ＯＫボタン１２２が操作されると、制御部３１はその設定内容を第２メモリ３６に書込むとともに、その設定内容に応じた設定画面データを生成し、例えば図１６に示す発光条件設定部を第２設定画面中に表示する。なお、図１６は、設定画面のうち、図５、図７と同様に、発光条件設定画面部のみ示している。
【００９８】
図１６に示すように、第２設定画面５３には、スピードライト群Ｍ，Ａ〜Ｃ毎に、先の第１設定画面５１で個別に設定された発光モード及びスケール条件に応じた設定スケール５６Ｍ，５６Ａ〜５６Ｃが表示される。ユーザは、例えばマウス２３を操作して、設定操作部６１，６２を移動操作して、スピードライト群Ｍ，Ａ〜Ｃ毎の発光条件の振り幅を選択設定するとともに、図４に示すブラケティング撮影ボタン５４ａを操作する。
【００９９】
すると、発光ブラケティング撮影制御装置２５を構成する制御部３１は、発光条件組合せ選択部３７を起動させて、設定内容に応じた発光条件の組合せを選択して命令指示部３８へ発光モードと設定値（Ｍ，Ａ，Ｂ，Ｃ）を指示する。
【０１００】
図１７に示すように、発光条件組合せ選択部３７は、発光条件の組合せの設定値（Ｍ，Ａ，Ｂ，Ｃ）を１コマずつ順番に変更しつつ、その選択した設定値（Ｍ，Ａ，Ｂ，Ｃ）を命令指示部３８に指示する。命令指示部３８は、図１７の例では発光条件のすべての組合せである４８コマ分のコマンドＣＤを順番に指示する。
【０１０１】
命令指示部３８ではコマンド生成部４６が、今回の撮影実行を指令する撮影コマンド（撮影実行命令）と、スピードライト毎に個別の発光モード及び今回の発光条件を指令する発光コマンド（発光命令）とを含むコマンドデータを生成する。そして、コマンド送信部４７が通信部４４及び通信ケーブル１８を介して電子カメラ１４側の通信部７１へコマンドデータＣＤを送信する。電子カメラ１４側では、コマンダ２８が、各スピードライト群Ａ〜Ｃにコマンド中で指示された発光条件を光通信で指令する。
【０１０２】
但し、電子カメラ１４はコマンド中に自動調光モードを含む場合、モニタ発光を行ってＴＴＬモードあるいはＡＡモードに応じた最適発光量を求め、その最適発光量と補正値とを指示する。そして、最適発光量から補正量だけずらした発光量が決定され、電子カメラ１４の撮影実行時に、各スピードライト群Ｍ，Ａ〜Ｃは、それぞれ指定された発光条件で協調して発光する。このような発光制御が、撮影１回毎に発光条件の組合せを変更しつつ複数回行われる。
【０１０３】
この第二実施形態では、スピードライト群Ｍ，Ａ〜Ｃ毎に個別に発光モードを設定できるので、スピードライト群Ｍ，Ａ〜Ｃ毎に異なる発光モードを設定したい場合にも対応できる。そして、スピードライト群Ｍ，Ａ〜Ｃ毎に個別に発光モードを設定することで、その発光ブラケティング撮影結果から、より適切な発光条件を見つけることができる。
【０１０４】
（第三実施形態）
次に、第三実施形態を図１８及び図１９に基づき説明する。本実施形態では、発光ブラケティング撮影制御装置２５を電子カメラ１４に内蔵した例である。
【０１０５】
図１８に示すように、電子カメラ１４は、その本体１４ａに、撮影レンズ部１９、レリーズボタン８９、赤目補正用の補助発光部８８及び内蔵フラッシュ１２３（内蔵スピードライト）等が備えられている。本実施形態では、コマンダ２８は電子カメラ１４の本体１４ａの上部にシューを介して装着されている。また、電子カメラ１４の鏡筒部には、スピードライト群Ａを構成するスピードライト１５がクリップを用いて係止されている。そして、電子カメラ１４と、コマンダ２８と通信可能なスピードライト群Ａ〜Ｃとにより、電子カメラシステム兼撮影システムが構成されている。なお、内蔵フラッシュ１２３を主灯Ｍとしてもよい。
【０１０６】
図１８及び図１９に示すように、電子カメラ１４内には発光ブラケティング撮影制御装置２５が内蔵されている。この発光ブラケティング撮影制御装置２５は、電子カメラ１４内のメモリに記憶された発光ブラケティング撮影用のプログラムを、電子カメラ１４内のＣＰＵ７３（図１０参照）が実行することにより構築されている。発光ブラケティング撮影制御装置２５は、電子カメラ１４に設けられても基本機能は、第一実施形態（図２参照）のものと同様である。但し、入力装置２４が電子カメラ１４に設けられた操作部（十字キーや操作ボタン）等により構成され、また、各種設定画面及び撮影結果表示画面が表示される表示手段は、表示部７６により構成される。例えば図１９に示すように、表示部７６には、発光条件設定画面１２７が表示され、ユーザは電子カメラ１４の操作部を操作することで、各スピードライト群Ｍ，Ａ〜Ｃの発光条件を個別に設定する。なお、内蔵フラッシュ１２３を主灯Ｍとしない例では、発光条件設定画面１２７において主灯Ｍ用の設定スケールは表示されない。
【０１０７】
このような電子カメラ１４に発光ブラケティング撮影制御装置２５が内蔵されている構成の撮影システムでも、多少操作性が低下し、かつ表示部７６の表示エリアがモニタ２１に比べ小さくなるものの、それ以外は第一実施形態と同様の効果を得ることができる。よって、この撮影システムでも、発光ブラケティング撮影モードで、レリーズボタン８９を１回操作するか、リモコン（図示省略）の撮影スイッチを操作するかの１回の撮影実行操作で、各スピードライト群Ａ〜Ｃ間における発光条件の組合せを変更しつつ複数回撮影する発光ブラケティング撮影を行うことができる。そして、電子カメラ１４の表示部７６に表示された撮影結果表示画面において発光ブラケティング撮影結果の画像を見比べることで、最適な発光条件を決定できる。さらに、表示部７６に表示された発光ブラケティング撮影結果の中から１つの画像を選択すると、その画像と同一の発光モード及び発光条件の組合せが自動設定されたうえで再撮影画面が表示され、最適発光条件での撮影を簡単な操作で速やかに実施できる。
【０１０８】
前記実施形態は上記に限定されず、以下の態様に変更することもできる。
（変形例１）発光条件は、発光量又は補正量に限定されない。例えば発光部のズーム位置や、バウンス撮影時の発光部の角度（バウンス角）などを発光条件とすることができ、複数のスピードライト群のうち少なくとも一群について発光部のズーム位置やバウンス撮影時の角度を変更しつつ複数回撮影する発光ブラケティング撮影を行う構成も採用できる。例えば、スピードライトには発光部の姿勢角を変更するモータが設けられ、そのモータを正逆駆動させることで、発光部の角度調整が可能となっている。
【０１０９】
（変形例２）撮影結果表示画面で画像を選択すると、その画像に適用された発光モード及び発光条件の組合せが自動設定されて同一条件で再撮影できる構成としたが、再撮影時の撮影条件は変更できるようにしてもよい。例えば、画像解析結果に基づく判定結果で不良と判定された画像については、自動であるいはユーザの許可を得た場合に、その不良箇所（例えば「赤目」）を回避できる撮影条件（例えば赤目防止設定）に変更して、再撮影を行う構成としてもよい。例えば赤目防止設定時は、撮影開始時期より少し早いタイミングで補助発光部８８が発光される。
【０１１０】
（変形例３）電子カメラ１４のコマンダ２８からスピードライト群へは通信は、光通信に限定されず、その他の近距離無線通信（赤外線通信やブルートゥース等）を採用してもよい。
【０１１１】
（変形例４）全てのスピードライト群のうち少なくとも１つのスピードライト群について発光条件を複数設定可能な構成であれば、他のスピードライト群については１つの発光条件だけ設定可能な構成でも構わない。
【０１１２】
（変形例５）スピードライト群毎の発光条件は選択できず固定でもよい。例えば、マニュアルモードであれば、０〜１の範囲で、０，1/16，1/4，１が自動的に決まり、自動調光モード（ＴＴＬ又はＡＡモード）であれば、−2/3，−1/3，０，＋1/3，＋2/3が自動的に決まるようにしてもよい。このように、ブラケティング撮影機能を選択すると、設定部（設定手段）が発光モードに応じた最適な発光量又は補正量を自動的に選択して設定する構成としてもよい。
【０１１３】
（変形例６）電子カメラ１４内に設けられた測光センサ８５及びＴＴＬ測光回路８６よりなるＴＴＬモード用の自動調光手段と、電子カメラ１４及びスピードライト１５内に設けられた外部測光センサ９２，１０５及び外部測光回路９３，１０６よりなるＡＡモード用の自動調光手段とのうち、少なくとも一方の自動調光手段を備えていればよい。
【０１１４】
（変形例７）設定した振り幅内で発光条件の全ての組合せを選択する構成に限定されず、振り幅内で発光条件の一部の組み合わせだけを選択する構成も採用できる。例えば発光条件の全組合せ数が、設定コマ数（撮影コマ上限数）を超える場合は、その全組合せ数のうち設定コマ数と同数の一部の組合せのみ採用する構成としてもよい。この場合、設定スケールの目盛の間隔を自然数倍に広くすることで発光条件の組合せ数を減らしたり、スピードライト群に優先順位を設定し、優先順位の低い方から順に１つずつ発光条件の数を削ってコマ数を減らす調整したりする方法を挙げることができる。
【０１１５】
（変形例８）カメラは、電子カメラに限定されない。例えばフィルムカメラ（銀塩カメラ）に適用してもよい。
【図面の簡単な説明】
【０１１６】
【図１】第一実施形態における撮影システムを示す模式図。
【図２】発光ブラケティング撮影制御装置の電気的構成を示すブロック図。
【図３】第１設定画面を示す模式図。
【図４】第２設定画面を示す模式図。
【図５】マニュアルモードにおける設定スケールを示す模式図。
【図６】マニュアルモードにおける発光条件組合せ選択部の実行結果を示す図。
【図７】ＴＴＬ／ＡＡモードにおける設定スケールを示す模式図。
【図８】ＴＴＬ／ＡＡモードにおける発光条件組合せ選択部の実行結果を示す図。
【図９】（ａ）〜（ｃ）コマンドデータのデータ構造を示す模式図。
【図１０】電子カメラシステムの電気的構成を示すブロック図。
【図１１】発光ブラケティング撮影制御処理を示すフローチャート。
【図１２】発光ブラケティング撮影指示ルーチンを示すフローチャート。
【図１３】撮影結果表示画面を示す模式図。
【図１４】再撮影画面を示す模式図。
【図１５】第二実施形態における第１設定画面を示す模式図。
【図１６】設定スケールを示す模式図。
【図１７】発光条件組合せ選択部の実行結果を示す図。
【図１８】第三実施形態における撮影システムを示す模式図。
【図１９】電子カメラの背面図。
【符号の説明】
【０１１７】
１１…撮影システム、１２…電子カメラシステム、１３…電子機器としてのＰＣ（パーソナルコンピュータ）、１４…カメラとしての電子カメラ、１５…スピードライト、１６…発光部、１８…通信ケーブル、１９…撮像レンズ部、２０…本体、２１…表示手段としてのモニタ、２２…キーボード、２３…マウス、２４…入力手段としての入力装置、２５…発光ブラケティング撮影制御装置、２８…コマンダ手段としてのコマンダ、２８ａ…設定部、３１…表示制御手段及び発光結果情報取得手段としての制御部、３２…受付手段としての受付部、３３…演算部、３４…設定手段及びモード設定手段としての設定部、３５…第１メモリ、３６…第２メモリ、３７…選択手段としての発光条件組合せ選択部、３８…命令指示手段としての命令指示部、３９…判定手段を構成する画像解析部、４０…判定手段を構成する判定部、４１…再選択手段としての再撮影指示部、４４…通信部、４６…命令指示手段を構成するコマンド生成部、４７…命令指示手段を構成するコマンド送信部、４８…送信部、４９…受信部、５１…第１設定画面、５３…第２設定画面、５４ａ…ブラケティング撮影ボタン、５６Ｍ，５６Ａ〜５６Ｃ…設定スケール、６０…スケール、６３…スケール、６１，６２…設定操作部、６５…撮影実行命令としての撮影コマンド、６６…発光指示命令としての発光コマンド、６７…発光モード指示部、７１…通信部、７２…撮影手段を構成する撮影部、７３…撮影手段を構成するＣＰＵ、７４…撮影手段を構成する画像処理部、７６…表示部、７８…可変光学系、７９…絞り部、８１…シャッタ部、８２…撮像素子、８５…自動調光手段を構成するとともに測光手段としての測光センサ、８６…自動調光手段を構成するＴＴＬ測光回路、８８…補助発光部、８９…レリーズボタン、９１…発光制御部、９２…自動調光手段を構成するとともに測光手段としての外部測光センサ、９３…自動調光手段を構成する外部測光回路、９４…受光部、１００…ＣＰＵ、１０１…設定部、１０２…発光制御部、１０４…受光部、１０５…自動調光手段を構成するとともに測光手段としての外部測光センサ、１０６…自動調光手段を構成する外部測光回路、Ｍ…主灯、Ａ〜Ｃ…スピードライト群、Ｐ…被写体、Ｄ１…設定画面用データとしての設定画面データ、Ｄ２…スケールデータ、Ｄ３…報知用データ、ＣＤm，ＣＤttl，ＣＤaa…コマンドデータ。
【図１】
2010134045.tif 000003
【図２】
2010134045.tif 000004
【図３】
2010134045.tif 000005
【図４】
2010134045.tif 000006
【図５】
2010134045.tif 000007
【図６】
2010134045.tif 000008
【図７】
2010134045.tif 000009
【図８】
2010134045.tif 000010
【図９】
2010134045.tif 000011
【図１０】
2010134045.tif 000012
【図１１】
2010134045.tif 000013
【図１２】
2010134045.tif 000014
【図１３】
2010134045.tif 000015
【図１４】
2010134045.tif 000016
【図１５】
2010134045.tif 000017
【図１６】
2010134045.tif 000018
【図１７】
2010134045.tif 000019
【図１８】
2010134045.tif 000020
【図１９】
2010134045.tif 000021